(57)【特許請求の範囲】
【請求項１】
感震器の信号を読み込みデータを送信する複数の通信型ガスメータと、前記ガスメータと通信回線で接続され受信した複数の感震器信号を判定処理の上ガス供給停止信号を通信出力する監視センターの感震処理装置と、前記監視センターの感震処理装置の判定処理通信により遠隔作動する複数のガス供給停止装置を備え、
予め定めたエリア別に設置されたガス供給停止装置を経由した後に分岐設置される通信型ガスメータからの感震器信号によりエリア別に管理する地震保安システムであって、
前記通信型ガスメータは感震器の信号レベルを複数段に区別したレベルに対応したデータとして送信し、感震処理装置は前記通信型ガスメータから送信される感震器信号を予め定めたエリア別に、かつレベル毎に区別して記憶し、設置エリア別の感震器信号のうち所定のレベル以上の信号の積算数が、その設置エリアの設置総台数の一定の割合を超えた場合にガス供給停止信号を通信出力する地震保安システム。
【発明の詳細な説明】
【０００１】
【発明の属する技術分野】
本発明は、地震発生時に、ガス供給の安全を確保する地震保安システムに関するものである。
【０００２】
【従来の技術】
従来、この種の地震保安システムは、内蔵するレベル判定の感震器の信号を読みこみデータ送信する複数の通信型ガスメータと、ガスメータと通信回線で接続され、感震器信号を受信する監視センターの受信装置と、通信手段の無い複数のガス供給停止装置から構成されていた。
【０００３】
【発明が解決しようとする課題】
しかし、このような地震保安システムは、監視センターの受信装置に判定処理機能が無く、監視員の判断と操作により手動でガス供給停止装置を動作させていた。また、ガスメータに内蔵する感震器の信号レベルが一つのレベルしかなく、地震の強弱については監視センターでは判別がつかなかった。さらに、ガスメータを設置しているエリアのどこが地震の揺れが大きいのかも即時に判断することができなかった。
【０００４】
本発明は、上記従来構成の問題点を解決すべく創案されたもので、地震の発生後直ちに、地震の揺れ（被害）がひどいガス供給エリアだけを判別し、自動的にガス供給を停止する地震保安システムを提供することを目的とする。
【０００５】
【課題を解決するための手段】
上記課題を解決するために、本発明の地震保安システムは、感震器の信号を読み込みデータを送信する複数の通信型ガスメータと、前記ガスメータと通信回線で接続され受信した複数の感震器信号を判定処理の上ガス供給停止信号を通信出力する監視センターの感震処理装置と、前記監視センターの感震処理装置の判定処理通信により遠隔作動する複数のガス供給停止装置を備え、予め定めたエリア別に設置されたガス供給停止装置を経由した後に分岐設置される通信型ガスメータからの感震器信号によりエリア別に管理する地震保安システムであって、前記通信型ガスメータは感震器の信号レベルを複数段に区別したレベルに対応したデータとして送信し、感震処理装置は前記通信型ガスメータから送信される感震器信号を予め定めたエリア別に、かつレベル毎に区別して記憶し、設置エリア別の感震器信号のうち所定のレベル以上の信号の積算数が、その設置エリアの設置総台数の一定の割合を超えた場合にガス供給停止信号を通信出力するものである。
【０００６】
上記発明によれば、地震の発生後直ちに、地震の揺れ（被害）がひどいガス供給エリアだけを判別し、自動的にガス供給を停止し、事故発生を未然に防止することができる。
【０００７】
本発明は、感震器の信号を読み込みデータを送信する複数の通信型ガスメータと、前記ガスメータと通信回線で接続され受信した複数の感震器信号を判定処理の上ガス供給停止信号を通信出力する監視センターの感震処理装置と、前記監視センターの感震処理装置の判定処理通信により遠隔作動する複数のガス供給停止装置を備え、予め定めたエリア別に設置されたガス供給停止装置を経由した後に分岐設置される通信型ガスメータからの感震器信号によりエリア別に管理する地震保安システムであって、前記通信型ガスメータは感震器の信号レベルを複数段に区別したレベルに対応したデータとして送信し、感震処理装置は前記通信型ガスメータから送信される感震器信号を予め定めたエリア別に、かつレベル毎に区別して記憶し、設置エリア別の感震器信号のうち所定のレベル以上の信号の積算数が、その設置エリアの設置総台数の一定の割合を超えた場合にガス供給停止信号を通信出力するものである。この構成により、地震の発生後直ちに、自動的にガス供給を停止し、火災の誘発を未然に防ぐことが可能になる。
【０００８】
また、地震の揺れすなわち被害予想がひどい状態かどうかを、より精度良く判別することが可能となる。
【０００９】
さらに、地震の揺れ（被害）が大きいガス供給エリアだけを、瞬時に判別することができる。
【００１０】
また、自動的にガス供給を停止する判定を、決められたルールどおり精度良く行なうことが可能となる。
【００１１】
そしてまた、地震の揺れ（被害）が大きいガス供給エリアだけを判別し、自動的にガス供給を停止することができる。
【００１２】
【実施例】
以下本発明の実施例について図面を用いて説明する。
【００１３】
（実施例１）
図１は本発明の実施例１の地震保安システムの構成図である。
【００１４】
図１において、１は内蔵する感震器の信号レベルを複数段有し、感震器の信号を読取りデータレベル別に異なるデータ送信する通信型ガスメータ、２は監視センター、３は設置エリア別に管理したガスメータ１から受信した複数の感震器信号を、設置エリア別に集計して総設置台数と比較し、予め決めておいた割合を超えた場合に設置エリア別にガス供給停止信号を通信出力する監視センター２の感震処理装置、４は監視センター２の感震処理装置３の判定出力通信により通信型ガスメータ１の設置エリア別にガス供給を遠隔作動停止するガス供給停止装置である。
【００１５】
次に作用を説明する。通信型ガスメータ１の設置エリアで地震が発生した場合、通信型ガスメータ１は内蔵する感震器により、その地震の強弱をレベル判定し、そのレベルに応じたデータを監視センター２の感震処理装置３にデータ送信する。監視センター２の感震処理装置３は、通信接続登録されている複数の通信型ガスメータ１から送られてきた感震器信号のデータを受信し、予め決められた設置エリア別の通信型ガスメータ１の感震器信号のデータを記憶していき、設置エリア別の感震器信号のうち所定のレベル以上のデータの積算数が、その設置エリアの総台数の一定割合を超えた場合に、上記予め決められた設置エリア毎に配置されたガス供給停止装置４にガス供給停止信号を判定出力する。設置エリア別に配置されたガス供給停止装置４は、監視センター２の感震処理装置３のガス供給停止信号を受け、ガス供給を遠隔作動によって停止することができる。
【００１６】
【発明の効果】
本発明の地震保安システムによれば、地震の発生後直ちに、地震の揺れ（被害）が大きいガス供給エリアだけを判別し、自動的にガス供給を停止し、ガス事故を未然に防止することができる。
【図面の簡単な説明】
【図１】本発明の実施例１のガス保安システムの構成図
【図２】同システムのフローチャート
【符号の説明】
１  通信型ガスメータ
２  監視センター
３  感震処理装置
４  ガス供給停止装置
【図１】
0004159772.tif 000002
【図２】
0004159772.tif 000003